(57)【特許請求の範囲】
【請求項１】
ネットワークを利用した加入者ルーティングを設定する加入者ルーティング設定方法であって、
網管理のためのネットワークを通して各通信網構成要素の構成現況及び接続状態に対して収集される情報であってアラーム発生があるか否かの情報又は各通信網構成要素間のホップ数のうちの少なくとも一つを含む第１情報と、各通信網構成要素に対して既設定された各変数に加重値を付与して算出される情報であって各通信網構成要素に割り当てられた加入者別のトラヒック記述子、ＣｏＳ、ＱｏＳ、ＴｏＳ中の少なくとも一つを含む第２情報とから各通信網構成要素のトラヒック情報を獲得して各通信網構成要素の利用可能性につき判断するためのトラヒック等級を分類する段階と、
ネットワークを通して新規加入者に対する接続ルーティング経路設定に対する要請がある場合、前記分類されたトラヒック等級によってトラヒックが少ないユニットまたはポートを選定する段階と、
その選定されたユニット／ポートで使用可能な加入者接続仮想経路識別子／仮想チャネル識別子（ＶＰＩ／ＶＣＩ）を選択して最終接続ルーティング経路として設定する段階と、を含み、
前記トラヒック等級を分類する段階は、
前記第１情報によって通信網構成要素に対する使用可能性があるか否かを判断する段階と、この判断結果により使用可能な場合に、第２情報を用いて各通信網構成要素に対するトラヒック等級を分類する段階と、をさらに含むことを特徴とするトラヒック情報を利用した加入者ルーティング設定方法。
【請求項２】
トラヒック等級を分類する段階で、網管理のためのネットワークは、網管理装置（ＮＭＳ／ＥＭＳ）ネットワークであることを特徴とする請求項１に記載のトラヒック情報を利用した加入者ルーティング設定方法。
【請求項３】
ネットワークを利用した加入者ルーティングを設定する加入者ルーティング設定方法であって、
網管理ネットワークを通して、ルーティング経路を設定するための通信網構成要素の開始点及び終端点を受け付けてその開始点及び終端点間にリンク及びトポロジーによって設定可能な経路を選択する段階と、
その選択された経路に対して経路別対象ユニット、該ユニット別保有ポート、該ポート別加入者接続現況を分析する段階と、
そのポート別加入者のトラヒック混雑度に対する加重値を計算して加重値が最下であるポートを選択し、その選択されたポートで開始点と終端点の仮想経路識別子／仮想チャネル識別子（ＶＰＩ／ＶＣＩ）を設定する段階と、
この設定された経路情報を該当通信網構成要素に伝送して該当区間間のクロス−コネクションを設定させる段階と、を含み、
前記リンク及びトポロジーによって設定可能な経路を選択する段階は、
開始点と終端点間の最も少ない数のホップを通過する経路を選択する段階と、その結果、同一数のホップを通過する経路が複数の場合に、帯域幅使用量が最も低いトランクを占めている経路を選択する段階と、をさらに含み、
前記開始点と終端点の仮想経路識別子／仮想チャネル識別子（ＶＰＩ／ＶＣＩ）を設定する段階は、トラヒック記述子を第１優先順位として、加入者等級、品質等級、サービス種を第２優先順位にして加重値を付与する段階であることを特徴とするトラヒック情報を利用した加入者ルーティング設定方法。
【請求項４】
ポート別加入者接続現況を分析する段階で、アラーム情報を各ユニット別／ポート別に分析して各経路別にトラヒック項目で分類することを特徴とする請求項３に記載のトラヒック情報を利用した加入者ルーティング設定方法。
【請求項５】
通信網で複数個の通信網構成要素を通して開始点から終端点にルーティング経路を設定するルーティング設定方法であって、
通信網構成要素各々のリンク及びトポロジー情報によって多数の可能な経路を選択する段階と、
その選択された経路に対して経路別対象ユニット、該ユニット別保有ポート、該ポート別加入者接続現況を分析する段階と、
この分析する段階の結果によって概略的な経路を選定する段階と；各ポートにおける加入者のトラヒック密集程度によって加重値を計算する段階と、
低い加重値を有するポートを選定する段階と、
この選定されたポートに対して開始点と終端点の使用可能な加入者接続仮想経路識別子／仮想チャネル識別子（ＶＰＩ／ＶＣＩ）を選択して最終接続ルーティング経路として設定する段階と、を含むことを特徴とするルーティング設定方法。
【請求項６】
ルーティング経路が新しい加入者のためのものであるのかまたは迂迴路を検索するためのものであるのかを決定する段階をさらに含むことを特徴とする請求項５に記載のルーティング設定方法。
【請求項７】
ルーティング経路が新しい加入者のためのものであるとき、選定されたルーティング経路のバンド幅使用がバンド幅使用の許容可能な臨界値内であるのか否かを決定する段階と、
バンド幅使用が対応する通信網間隔間のクロス−コネクションを定義する許容可能な臨界値内と決定される時、対応する通信網構成要素として選定された経路で転送する段階と、をさらに含むことを特徴とする請求項６に記載のルーティング設定方法。
【請求項８】
ルーティング経路が迂迴路を検索するためのものであるとき、選定されたルーティング経路のバンド幅使用がバンド幅使用の許容可能な臨界値内であるのか否かを決定する段階と、
バンド幅使用が許容可能な臨界値内と決定される時、経路情報を通信網管理システムクライアントに伝達する段階と、
この伝えられた情報に応答して通信網管理システムクライアントから通信網管理システムサーバーが経路確認信号を受けたのか否かを判断する段階と、
対応する通信網間隔間のクロス−コネクションを定義するために、通信網管理システムサーバーが通信網管理システムクライアントから経路確認信号を受けたと判断した時、対応する通信網構成要素として選定された経路で転送する段階と、をさらに含むことを特徴とする請求項６に記載のルーティング設定方法。
【請求項９】
通信網管理システムサーバーが通信網管理システムクライアントから経路確認信号を受けられなかったと判断した時、多数の可能な経路を選択する段階以前に通信網管理システムサーバーにより通信網管理システムクライアントから迂迴路検索に用いられるトラヒック変数用セットを受ける段階をさらに含むことを特徴とする請求項８に記載のルーティング設定方法。
【請求項１０】
トラヒック変数は、各通信網構成要素に割り当てられた加入者別トラヒック記述子、ＣｏＳ、ＱｏＳ、ＴｏＳの中の少なくとも一つを含むことを特徴とする請求項９に記載のルーティング設定方法。
【発明の詳細な説明】
【０００１】
【発明の属する技術分野】
本発明は非同期転送モード（ＡＴＭ：Ａｓｙｎｃhｒｏｎｏｕｓ  Ｔｒａｎｓｆｅｒ  Ｍｏｄｅ：以下‘ＡＴＭ’と称する）通信網における通信網構成要素（Ｎｅｔｗｏｒｋ  Ｅｌｅｍｅｎｔ：以下‘ＮＥ’と称する）の加入者ルーティング設定方法に係り、詳細には網管理システム（Ｎｅｔｗｏｒｋ  Ｍａｎａｇｅｍｅｎｔ  Ｓｙｓｔｅｍ／Ｅｌｅｍｅｎｔ  Ｍａｎａｇｅｍｅｎｔ  Ｓｙｓｔｅｍ：以下‘ＮＭＳ’／‘ＥＭＳ’と称する）から得られるトラヒック情報を利用した加入者ルーティング設定方法及びこのための記録媒体に関する。
【０００２】
【従来の技術】
図１は、一般的な網管理装置の全体的なシステムの概略構成を示したブロック図である。図１を参照すると、全体的な網管理を遂行する網管理サーバー１０と、網管理サーバー１０から提供される各種情報を受けて、加入者のルーティング経路の設定及び照会をすることができるＮＭＳクライアント２０を含む。
【０００３】
通常、ＮＭＳサーバー１０は、接続された複数のＮＥの管理を遂行するシステムである。すなわち、装備の実際的な状態を運用者に知らせて、障害が発生する場合これを迅速に解決することができるようにするための通信網管理システムをいう。
【０００４】
一般的にＮＭＳサーバー１０では加入者ルーティング経路を設定するために、各ＮＥで構成された通信網を通して加入者経路設定命令を下す。したがって、以前に設定された経路Ｌ１に混雑が発生した場合には他の代替経路Ｌ２を設定する場合もある。
【０００５】
このとき、加入者経路を設定するための方法として永久仮想回線（Ｐｅｒｍａｎａｎｔ  ｖｅｒｔｕａｌ  ｃｉｒｃｕｉｔ：以下‘ＰＶＣ’と称する）と交換仮想回線（ｓｗｉｔｃhｅｄ  ｖｅｒｔｕａｌ  ｃｉｒｃｕｉｔ：以下、‘ＳＶＣ’と称する）を用いる。
【０００６】
ＰＶＣの場合、ＮＥ別に各ＮＥで経路を設定するので、代替経路を設定する前にトラヒック混雑（Ｔｒａｆｆｉｃ  Ｃｏｎｇｅｓｔｉｏｎ）が発生すればエラー（Ｅｒｒｏｒ）或いはセル（Ｃｅｌｌ）損失につながる。
【０００７】
ＳＶＣの場合、ＮＥで接続受諾制御（ｃｏｎｎｅｃｔｉｏｎ  ａｄｍｉｓｓｉｏｎ  ｃｏｎｔｒｏｌ：ＣＡＣ）と利用パラメータ制御（Ｕｓａｇｅ  Ｐａｒａｍｅｔｅｒ  Ｃｏｎｔｒｏｌ：ＵＰＣ）を通して最適のルート（ｒｏｕｔｅ）を探して経路を設定するようになっており、隣接ＮＥにトラヒック混雑が発生した状態が受信された場合には経路の切り換え（ｓｗｉｔｃｈ）や変更（ｃｈａｎｇｅ）を行う。
【０００８】
従来、各ＮＥのトラヒックを制御する方式には適応制御（Ｒｅａｃｔｉｖｅ  Ｃｏｎｔｒｏｌ）方式と予防制御（Ｐｒｅｖｅｎｔｉｖｅ  Ｃｏｎｔｒｏｌ）方式がある。
【０００９】
図２は、従来の適応制御方式及び予防制御方式を説明するための概念図である。図２を参照して適応制御方式及び予防制御方式に対して説明する。
【００１０】
適応制御方式は、複数個のＮＥ１〜６が接続されたネットワーク網において、事前に設定された経路１、２、３、４にあるＮＥを経由してセルを伝送しているときに、途中の一つのＮＥ３で混雑が発生した場合に、そのＮＥ３から、セル損失が起こってトラヒック混雑が発生したというアラームが発生されるようになっており、そのアラームを受信したＮＥ１により、新しい代替経路５、６を探したり、トラヒック混雑が発生したＮＥの存在する経路を閉鎖する制御が実行される。すなわち、後続のＮＥの状態報告を受けてその次にアクションを取ることによって適応制御という。
【００１１】
一方、予防制御方式は、隣接ＮＥ２〜６に対する情報を予め収集して隣接ＮＥの状態が良好か否かを判断することにより、混雑が発生したＮＥ３を経由することなく良好なＮＥ４、５、６を経由するルートを設定してセルを伝送するようにするものである。このように隣接したＮＥの情報を予め収集して混雑が発生したＮＥによるセル損失を予防するによって予防制御という。しかし、この方式の場合にも、隣接ＮＥの情報しか知らないことになる。すなわち、ＮＥ６以降にある網の状態がよくない場合であってもこれを把握できない。ネットワーク全体の状況をすべて分かろうとすれば、多量の演算が必要であるために演算遅延が発生し、これによりセル損失が起こってしまうので、超高速通信では適切でない。
【００１２】
このように従来の適応制御や予防制御の場合、経路設定において、すべてのネットワークのトラヒック混雑状態を把握しながら経路を探すことは、各ＮＥにおける演算に起因した演算遅延が発生し得ることになるため、現実的には非効率的である。
【００１３】
すなわち、適応制御にはエラーやセル損失が既に発生した後に措置を取るという問題点がある一方、予防制御はリアルタイムでネットワークのトラヒック状態を把握しなければならないので隣接ＮＥに対してのみ現在の情報を把握して経路を設定するようになり、このため、その次のＮＥにトラヒック混雑状態が発生すれば適応制御と同様にエラーが発生したりセル損失につながる問題点がある。
【００１４】
【発明が解決しようとする課題】
本発明はこのような従来の問題点を解決するために案出されたものであり、各ＮＥでルーティングを設定するのではない網管理装置を利用して現在の各ＮＥ別トラヒックを計算するとともにネットワークトポロジービュアー（Ｎｅｔｗｏｒｋ  Ｔｏｐｏｌｏｇｙ  Ｖｉｅｗｅｒ）に表示し、新しく接続される加入者接続サービスを遂行する時、最も良い経路を捜し出してトラヒック混雑の発生がさらに少ないルートを加入者に提供することが可能な、トラヒック情報を利用した加入者ルーティング設定方法及びそのシステムを提供する。
【００１５】
【課題を解決するための手段】
このような目的を達成するための本発明によるトラヒック情報を利用した加入者ルーティング設定方法の一側面によると、ネットワークを利用した加入者ルーティングを設定する方法であって、ネットワークを通して各ＮＥの構成現況及び接続状態に対して収集される情報であってアラーム発生があるか否かの情報又は各通信網構成要素間のホップ数のうちの少なくとも一つを含む第１情報と、各ＮＥに対して既設定された各変数に加重値を付与して算出される情報であって各通信網構成要素に割り当てられた加入者別のトラヒック記述子、ＣｏＳ、ＱｏＳ、ＴｏＳ中の少なくとも一つを含む第２情報とから各ＮＥのトラヒック情報を獲得して各ＮＥの利用可能性があるか否かを判断するためのトラヒック等級を分類する段階と、ネットワークを通して新規加入者に対する接続ルーティング経路設定に対する要請がある場合に、その分類されたトラヒック等級によってトラヒックが少ないユニットまたはポートを選定する段階と、その選定されたユニット／ポートで使用可能な加入者接続のための仮想経路識別子／仮想チャネル識別子（ｖｉｒｔｕａｌ ｐａｔh ｉｄｅｎｔｉｆｉｅｒ／ｖｉｒｔｕａｌ ｃhａｎｎｅｌ Ｉｄｅｎｔｉｆｉｅｒ、以下ＶＰＩ／ＶＣＩと称する）を選択して最終接続ルーティング経路として設定する段階とを含み、上記トラヒック等級を分類する段階が、上記第１情報によって通信網構成要素に対する使用可能性があるか否かを判断する段階と、この判断結果により使用可能な場合に、上記第２情報を用いて各通信網構成要素に対するトラヒック等級を分類する段階と、をさらに含むことを特徴とする。
【００１６】
また、本発明によるトラヒック情報を利用した加入者ルーティング設定方法の一側面によると、ネットワークを利用した加入者ルーティングを設定する方法であって、網管理ネットワークを通して、ルーティング経路を設定するためのＮＥの開始点及び終端点の入力を受けて開始点及び終端点間にリンク及びトポロジーによって設定可能な経路を選択する段階と、その選択された経路に対して経路別対象ユニット、そのユニット別保有ポート、該ポート別加入者接続現況を分析する段階と、該ポート別加入者のトラヒック混雑度に対する加重値を計算して加重値が最下であるポートを選択してその選択されたポートで開始点と終端点のＶＰＩ／ＶＣＩを設定する段階と、その設定された経路情報を該当ＮＥに伝送して該当区間間のクロス−コネクション（Ｃｒｏｓｓ−Ｃｏｎｎｅｃｔｉｏｎ）を設定させる段階と、を含み、上記リンク及びトポロジーによって設定可能な経路を選択する段階が、開始点と終端点間の最も少ない数のホップを通過する経路を選択する段階と、その結果、同一数のホップを通過する経路が複数の場合に、帯域幅使用量が最も低いトランクを占めている経路を選択する段階と、をさらに含み、上記開始点と終端点の仮想経路識別子／仮想チャネル識別子（ＶＰＩ／ＶＣＩ）を設定する段階が、トラヒック記述子を第１優先順位として、加入者等級、品質等級、サービス種を第２優先順位にして加重値を付与する段階であることを特徴とする。
【００１９】
【発明の実施の形態】
以下、添付した図面を参照しながら本発明を詳細に説明する。
【００２０】
図３は、本発明によるトラヒック情報を利用した加入者ルーティング設定方法を遂行する通信網のルーティング設定を説明するための全体的なシステム概念図である。
【００２１】
図示されたようにＮＭＳサーバー１０は、ＤＢに収集された警報情報と、各ＮＥに割り当てられたすべての加入者別のトラヒック記述子（Ｔｒａｆｆｉｃ  Ｄｅｓｃｒｉｐｔｏｒ）、加入者等級（Ｃｌａｓｓ  ｏｆ  Ｓｅｒｖｉｃｅ：ＣｏＳ）、品質等級（Ｑｕａｌｉｔｙ  ｏｆ  Ｓｅｒｖｉｃｅ：ＱｏＳ）、サービス種（Ｔｙｐｅ  ｏｆ  Ｓｅｒｖｉｃｅ：ＴｏＳ）に加重値算定法を適用した計算により、トラヒック等級を分類する。ＮＥ別（Ｓhｅｌｆ別：地域別）に計算された加重値に基づいて新しい加入者接続サービスを提供するとき、網管理装置では自動で最もトラヒックが少ないユニット或いはポートが選定され、選定されたユニット／ポートで可能な加入者接続ＶＰＩ／ＶＣＩを検索し、最適のＶＰＩ／ＶＣＩ（Ｌ１、Ｌ２、Ｌ３、Ｌ４）を提供することができる。ＮＭＳクライアント２０ではそのすべてのルート中の一つのルートを選択して最適のＰＶＣ／ＳＶＣを選定できるようになる。
【００２２】
ＮＭＳサーバー１０によるこのような網制御方式を“予測制御”（Ｆｏｒｅｃａｓｔｉｎｇ  Ｃｏｎｔｒｏｌ）と称するようにする。すなわち、適応制御でのように予めルートを設定しておくのに、予防制御で隣接したＮＥの情報を参照してルーティングを遂行する方式を拡大して、隣接ＮＥのみならず網管理装置を利用してすべてのＮＥの情報を把握し、そのうちから最適のルーティング経路を設定させるということである。
【００２３】
ＮＭＳサーバー１０は、通信網を管理する時、ネットワークを通して各ＮＥの構成現況及び接続状態に対して収集された情報と、各ＮＥに対して既設定された各変数に加重値を付与して算出された情報とを利用して、各通信網ＮＥの利用可能性があるか否かを判断するためのトラヒック等級を分類するようになる。
【００２４】
また、ネットワークを通して通信網管理命令が受信される場合、該ＮＥに対して収集された情報とトラヒック等級を利用して命令による通信網管理を遂行する。
【００２５】
ネットワークを通して各ＮＥの構成現況及び接続状態に対して収集される情報には、アラーム発生有無の情報、各ＮＥ間のホップ（Ｈｏｐ）数が含まれ得る。
【００２６】
一方、各ＮＥに対して既設定された各変数に加重値を付与して算出された情報には、各種の情報が含まれ得る。すなわち、各ＮＥに割り当てられた加入者別のトラヒック記述子、ＣｏＳ、ＱｏＳ、ＴｏＳが含まれ得る。
【００２７】
加重値によるトラヒック混雑度を計算するためのトラヒックパラメータを表１のように整理できる。
【表１】
0003940365.tif 000002
【００２８】
表１に列挙された各トラヒックパラメータに加重値を付与することは、各トラヒックパラメータが各ＮＥのトラヒックを決定する重要な変数になるためである。
【００２９】
すなわち、新しい加入者のルーティング経路を設定するときに、よりトラヒック量が少ない最適の経路を設定するためには既存に作動している各ＮＥに対する事前情報を把握することが必要である。
【００３０】
ＮＥ間でホップ数がいくつになるのか、ＮＥにいかなるアラームが発生したのか、そのアラームの程度はどうなのか、ＮＥに割り当てられた加入者の帯域幅使用量、トラヒック記述子の特性、ＣｏＳ、ＱｏＳ、ＴｏＳはどうなのかに対する事前情報が必要ということである。
【００３１】
ＮＥにアラームが発生した場合、そのアラームの深刻度が異なることが考慮される。したがって多段階に区分して、例えば、致命的なアラーム（Ｃｒｉｔｉｃａｌ）／重大なアラーム（Ｍａｊｏｒ）／警報的なアラーム（Ｍｉｎｏｒ）等に区分することができる。
【００３２】
これにより、アラームが発生しない経路を設定することが最も望ましいのはもちろんなので、一旦アラームが発生した経路は除外しておくが、各アラームの段階によって次善的な後継措置として考慮してみることができる。
【００３３】
また、ＮＥ間のホップ数が可能な限り少ない経路を設定することが望ましい。例えば、最大ホップ数が１２ホップ数以上であれば経路設定は難しい。したがって、ホップ数が少ない経路中からまず選んで、ホップ数が同一な場合は他の変数の加重値を計算して決定するようにする。
【００３４】
帯域幅使用量において、既存の通信網の運営におけるＮＥの帯域幅使用量が所定の臨界値以下であるのか否かを確認しなければならない。したがって、帯域幅使用量が限度の５０％以内であることが望ましく、帯域幅使用量が７０％以上である場合には増設が必要な回線だと判断しても良い。なぜなら、帯域幅使用量が７０％以上になるということは、帯域幅使用量において今後もそれ以上である可能性が強いことを示唆すると見なすことができるためである。
【００３５】
同時に、ＣｏＳによって、ＮＥのトラヒック使用量を予め把握できるようになる。ＣｏＳは加入者が回線を新設する時設定されるものであって、ＮＥに割り当てられた加入者回線が用いるトラヒック量を明確に把握する。例えば、ＣｏＳがＣＢＲの場合には帯域幅の使用量において可変的でなく、実際加入者が用いる帯域幅がどの位であるのかに関係がなく固定されている量の帯域幅を占めていることによって、ＮＥのトラヒック量を判断することにおいて重要な変数になっている。
【００３６】
トラヒック等級を分類する時は、各ＮＥの構成現況及び接続状態に対して収集された情報によってＮＥに対する使用可能性があるか否かをまず判断して、その判断結果、使用可能な場合に、既設定された各変数に加重値を付与して算出された情報を用いて各ＮＥに対するトラヒック等級を分類するようになる。
【００３７】
ＮＭＳサーバー１０では、ネットワークを通してユーザーから要請される各命令によって各種の通信網管理を遂行することができる。例えば、新規加入者に対する接続ルーティング経路設定に対する要請がある場合、上記で分類されたトラヒック等級によってトラヒックが少ないユニットまたはポートを選定して、その選定されたユニット／ポートで使用可能な加入者接続ＶＰＩ／ＶＣＩを選択して最終接続ルーティング経路として設定するようになる。
【００３８】
また、回線増設が必要な通信網区間に対する要請がある場合には、ＮＥに対して各ＮＥの情報とトラヒック等級を利用して回線増設可否を判断するようになる。
【００３９】
図４は、ＮＭＳサーバーにより収集されたトラヒック情報を利用して新規加入者のルーティング経路を設定する処理を示した本発明に係る流れ図である。図４を参照してＮＭＳサーバーにより収集されたトラヒック情報を利用して新規加入者のルーティング経路を設定する処理フローを説明する。
【００４０】
まず、ネットワークを通してＮＭＳクライアント２０からルーティング経路を設定するためのＮＥの開始点及び終端点が入力される（Ｓ１）。ＮＥの開始点及び終端点が入力されると、リンク及びトポロジーによってその開始点及び終端点間に設定可能な経路を検索する（Ｓ２）。これにより複数個の経路が選択され得る。このように選択された経路に対して経路別対象ユニット、そのユニット別保有ポート、該ポート別加入者接続現況を分析するようになる（Ｓ３）。
【００４１】
ポート別加入者接続現況を分析する時は、アラーム情報を各ユニット別／ポート別に分析して各経路別にトラヒック項目で分類する。同時に、ポート／ユニットの帯域使用量（Ｂａｎｄ  ｗｉｄｔh  Ｕｔｉｌｉｚａｔｉｏｎ）を計算して最も少ない使用ユニット／ポートを計算する。
【００４２】
リンク及びトポロジーによって設定可能な経路を選択する時は開始点と終端点間の最も少ない数のホップを通過する経路を優先的に選択の条件にする。もしも、同一数のホップを通過する経路が複数の場合には、帯域幅使用量が最も低いトランクを占めている経路を選択するようになる。
【００４３】
このように大きな経路が選択されると、今度はその各経路に対してポート別加入者のトラヒック混雑度に対する加重値を計算する（Ｓ４）。加重値を計算した後にはその加重値が最下であるポートを選択して（Ｓ５）その選択されたポートで開始点と終端点のＶＰＩ／ＶＣＩを設定する（Ｓ６）。ＶＰＩ／ＶＣＩを２個以上選定しなければならない場合ならば、さらにＶＰＩ／ＶＣＩを選定するようにする。
【００４４】
開始点と終端点のＶＰＩ／ＶＣＩを設定する時は、トラヒック記述子を第１優先順位として、加入者等級、品質等級、サービス種を第２優先順位にして加重値を付与する。このように与えられた加重値を加入者別に合算して全体加重値の平均を計算する。
【００４５】
このように開始点と終端点のＶＰＩ／ＶＣＩが設定されれば、その設定された経路が許容臨界値内の条件を満足するのか否かを判断する（Ｓ７）。設定された経路が許容臨界値条件を満足する場合にはその設定された経路情報を該当ＮＥに伝送して該当区間間のクロス−コネクションを設定するようにする（Ｓ８）。
【００４６】
最終的な経路が選択されるまでＮＥ／シェルフ／スロット／ポートのＶＰＩ／ＶＣＩを順次にＮＭＳクライアントに伝送してビュアー表示するようにして、運用者をして所望する経路を選択するようにすることができる。
【００４７】
また、このように設定されたルーティング結果は、データベースに貯蔵されて、今後のトラヒック加重値に反映するようになる。
【００４８】
図５は、本発明によってＮＭＳサーバーにより収集されたトラヒック情報を利用してトラヒック混雑によるエラーが発生したとき迂回経路を検索する手順を示す流れ図である。図５を参照してＮＭＳサーバーにより収集されたトラヒック情報を利用して新規加入者のルーティング経路を設定する処理フローを説明する。
【００４９】
トラヒック混雑によってエラーが発生したＮＥからエラーが発生したりセル損失が受付られる場合（Ｓ１１）、ＮＭＳクライアント２０に該ＮＥのエラー発生事実を通報する（Ｓ１１）。その後、ＮＭＳクライアント２０から迂回経路を検索しろとの命令が受信されるのか否かを判断して（Ｓ１３）、迂回経路検索命令が受信された場合、ネットワークを通してＮＭＳクライアント２０からルーティング経路を設定するためのＮＥの開始点及び終端点を受け付ける（Ｓ１４）。同時に、ＮＭＳクライアント２０から迂回経路検索に用いるトラヒックパラメータに対する設定を受ける（Ｓ１５）。このときに受けるトラヒックパラメータには、各ＮＥに割り当てられた加入者別トラヒック記述子、ＣｏＳ、ＱｏＳ、ＴｏＳなどが含まれる。すなわち、迂回経路検索時に各パラメータに対する加重値を設定する際にＮＭＳクライアント２０から入力される値を反映して設定できるようにする。このように、ＮＥの開始点及び終端点とそれに対する各トラヒックパラメータが入力されると、リンク及びトポロジーによってその開始点及び終端点間に設定可能な経路を検索して適切な経路を選択する（Ｓ１６）。これにより複数個の経路が選択され得る。このように選択された経路に対して経路別対象ユニット、そのユニット別保有ポート、該ポート別加入者接続現況を分析するようになる（Ｓ１７）。
【００５０】
ポート別加入者接続現況を分析する時は、アラーム情報を各ユニット別／ポート別に分析して各経路別にトラヒック項目から分類する。
【００５１】
リンク及びトポロジーによって設定可能な経路を選択する時は開始点と終端点間の最も少ない数のホップを通過する経路を優先的に選択の条件にする。もしも、同一数のホップを通過する経路が複数の場合には、帯域幅使用量が最も低いトランクを占めている経路を選択するようになる。
【００５２】
このように中間経路が選択されると、今度は各経路に対してポート別加入者のトラヒック混雑度に対する加重値を計算する（Ｓ１８）。加重値を計算した後にはその加重値が最下であるポートを選択して（Ｓ１９）その選択されたポートで開始点と終端点のＶＰＩ／ＶＣＩを設定する（Ｓ２０）。
【００５３】
開始点と終端点のＶＰＩ／ＶＣＩを設定する時は、トラヒック記述子を第１優先順位として、加入者等級、品質等級、サービス種を第２優先順位にして加重値を付与する。
【００５４】
このように開始点と終端点のＶＰＩ／ＶＣＩが設定されれば、その設定された経路が許容臨界値内の条件を満足するのか否かを判断する（Ｓ２１）。設定された経路が許容臨界値条件を満足する場合にはその設定された経路情報をＮＭＳクライアント２０に伝送していかなる経路が設定されたかを知らせて、ＮＭＳクライアント２０からその経路を用いても良いという経路確認信号が受信されるのかを判断して（Ｓ２３）、経路確認信号が受信された場合には設定された経路を該当ＮＥに伝送して該当区間間のクロス−コネクションを設定するようにする（Ｓ２４）。一方、ＮＭＳクライアント２０からその経路を用いても良いという経路確認信号が受信されない場合には迂回経路検索に用いるトラヒックパラメータを受けるモードを遂行して他の経路を捜すようにする。
【００５５】
一方、ＮＭＳクライアント２０では、ＮＭＳサーバー１０から提供される全体ＮＥのトラヒック情報を照会できることによって各種網情報を照会または管理できるようになる。
【００５６】
例えば、アラーム情報を管理することもできる。ＮＭＳクライアント２０では、網管理ビュアーを駆動させて運用者の入力を受け、網管理を遂行するようになる。メーン画面警報管理メニューを駆動する。メニューはメニューバー或いはネットワークトポロジーアイコンのポップアップメニューを通して駆動され得る。但しアイコン上でポップアップメニューを駆動する場合、自動で駆動された位置で位置情報をフィルタリングするために基本的に駆動した位置の警報のみを表示するようにする。このときフィルタリング条件設定画面で他の位置情報に変更できる。
【００５７】
警報管理のタップウィンドウで選択された位置情報に対するリアルタイム警報管理を選択する。システムで発生した警報がリアルタイムでＳＮＭＰトラップによりＮＭＳサーバー１０に送信される。
【００５８】
これにより、トラップを受信したＮＭＳサーバー１０は、データベースに受信警報情報を貯蔵して、セッションが登録されたクライアントに対して警報を送信する。ＮＭＳクライアント２０はその受信した警報をビュアーの画面に表示する。
【００５９】
また、ＮＭＳクライアント２０ではネットワーク−サブネットワークを構成しているＮＥ−ラック−シェルフ−スロット（ユニット）及びポート、チャネル（ＶＰＩ／ＶＣＩ、ＤＬＣＩ、タイムスロット、ＩＰ、ＡＩＤ等）別にトラヒックを測定することもできる。
【００６０】
これのためには、ＮＭＳクライアント２０は、ビュアーのメーン画面メニューで運用者の入力によって“トラヒック管理”のためのメニュー項目を駆動する。
【００６１】
ラック（Ｒａｃｋ）／シェルフ（Ｓhｅｌｆ）ネットワークトポロジービュアー（ＮＥ  Ｖｉｅｗｅｒ）画面でトラヒック測定を遂行しようとするラック／シェルフアイコンを選択して、マウス右側ボタンを押してポップアップメニューを駆動する。ポップアップメニューでトラヒック管理／トラヒック測定項目を選択すれば、該画面が表示される。その表示された項目中から選択して測定することができるようにする。測定項目には次の要素があり得る。
【００６２】
位置別：（ネットワーク−サブネットワーク）−ＮＥ−ラック−シェルフ−スロット（ユニット）−ポート
【００６３】
条件別：アップリンク／ダウンリンクセルカウント、ＱｏＳ、ＰＣＲ、／ＳＣＲ／ＢＴ／ＣＤＶＴ
【００６４】
測定動作可否：スタート／ストップ
【００６５】
他の位置情報に対するトラヒックを測定しようとするならば、画面の所定位置に表示されたネットワークトポロジーツリーで所望の位置項目を選択する。
【００６６】
トラヒック測定結果は、グラフ或いはテーブルで画面の所定位置に表示する。測定されたトラヒック情報は構成管理、連結管理、性能管理、加入者管理に反映して今後、トラヒックの動向を分析するのに利用される。
【００６７】
同時に、ＮＭＳサーバー１０のデータベースに貯蔵されたＮＥ情報とリンク接続情報を照会してソース（Ｓｏｕｒｃｅ）ＮＥと目的地（Ｄｅｓｔｉｎａｔｉｏｎ）ＮＥを指定すれば、ソースから目的地まで連結された経路中から最少のＮＥを経る経路を探す。
【００６８】
検索した経路中から加入者接続情報を指定するポートのＱｏＳ値を照会してＱｏＳが最も小さく指定されたポートを探して設定する。すなわち、加重値が最小である値を有するポートを検索する。
【００６９】
また、ＮＭＳクライアント２０では各種トラヒックパラメータを設定することができる。すなわち、ビュアーの接続管理画面が表示されれば、所定のツリーで加入者終端点のシェルフを選択した後、ビュアー画面で接続を設定することができる経路が表示されれば、経路中から作業を遂行する経路を選択できるようになる。
【００７０】
可能な経路のシェルフ、警報情報、ユニット実装情報が表示されれば、経路別ユニットを選択してポートをあらわせるようにした後、マウスを利用してドラッグ（開始）またはドロップ（終了）をする。但し開始点は必ずＣＯ／ＣＳになる。ウィンドウに表示された設定パラメータに値を入力したり選択する。選択することができるパラメータは次のとおりである。
【００７１】
ＶＰ／ＶＣの選択、ＰＶＣのための経路別ＡＴＭ  ＶＰＩ／ＶＣＩの設定、重畳したか否かの自動確認、ｘＤＳＬ終端点ポートプロビジョンウィンドウ（Ｐｏｒｔ  Ｐｒｏｖｉｓｉｏｎ  Ｗｉｎｄｏｗ）の実行、ＣｏＳを選択（ＣＢＲ、ｒｔ−ＶＢＲ、ｎｒｔ−ＶＢＲ、ＵＢＲ、ＧＦＲ）、ＴｏＳ（ＰＯＴＳ、ＰＳＴＮ、ＩＳＤＮ−ＢＲＩ、ＩＳＤＮ−ＰＲＩ、Ｎｘ６４、ＡＤＳＬ、ＶＤＳＬ、ＳＨＤＳＬ、ＬＡＮ  ＶｏＩＰ、ＶｏＤＳＬ、ＶｏＡＴＭ、ＶｏＩＰｏＡＴＭ）等多様なパラメータを設定することができる。
【００７２】
【発明の効果】
本発明は、ルート設定がＮＥに依存していた従来技術と異なり、網管理装置（ＮＭＳ／ＥＭＳ）を通してネットワーク全体の状態を分析してルーティングを遂行することによって、さらに速くて正確なルーティングを設定できるようになる。
【００７３】
網管理装置を利用すれば、分析された統計的情報とリアルタイム情報を利用するので、システムのルート設定機能に依存した既存の方法よりも、多様で速くて難無くネットワーククロス−コネクションを遂行することができる。
【００７４】
このような接続情報は、網管理装置によりソースと目的地のみ入力すれば中間経路のすべての情報と可能なポート／チャネルＶＰＩ／ＶＣＩが自動で設定されて加入者の選択により可能なポート／チャネルＶＰＩ／ＶＣＩを探して与える。このように探したＶＰＩ／ＶＣＩの個数は運用者が選択することができるが、基本的に１０個が与えられて運用者は１０個中の一つの接続を選択すればよい。
【００７５】
このように、網管理装置を通して加入者接続を行う時、各種変数（Ｐａｒａｍｅｔｅｒ）とトラヒックファクタ（Ｔｒａｆｆｉｃ  Ｆａｃｔｏｒ）を考慮してトラヒックを事前に予測しロード（Ｌｏａｄ）を分散することによって、発生し得る損失を最少化できるようにする。
【図面の簡単な説明】
【図１】一般的な網管理装置の全体的なシステムの概略的構成ブロック図。
【図２】従来の適応制御方式及び予防制御方式を説明するための概念図。
【図３】本発明によるトラヒック情報を利用した加入者ルーティング設定方法を遂行する通信網のルーティング設定を説明するための全体的なシステム概念図。
【図４】ＮＭＳサーバーにより収集されたトラヒック情報を利用して新規加入者のルーティング経路を設定する本発明に係る処理の流れ図。
【図５】ＮＭＳサーバーにより収集されたトラヒック情報を利用してトラヒック混雑によるエラーが発生したときに迂回経路を検索する本発明に係る手順を示す流れ図。
【符号の説明】
１０：ＮＭＳサーバー
２０：ＮＭＳクライアント
【図１】
0003940365.tif 000003
【図２】
0003940365.tif 000004
【図３】
0003940365.tif 000005
【図４】
0003940365.tif 000006
【図５】
0003940365.tif 000007